(57)【要約】【課題】  １つのモータケースであっても、製造コストの上昇を招くことなく、モータ長さが異なる多種類のモータを収納可能とする、電気掃除機用モータ防振支持部材およびそのモータ防振支持部材を備えた電気掃除機を提供することにある。【解決手段】  この電気掃除機用モータ防振支持部材３００は、第１防振支持部材３００Ａと、第２防振支持部材３００Ｂとを有している。第１防振支持部材３００Ａは、電気掃除機用モータ１００Ｓの負圧発生口１１０側を取囲むように覆い、電気掃除機用モータ１００Ｓのファン領域に連結される円筒状受部領域３０１と、この円筒状受部領域３０１と第２の空間Ｒ２とを連結するため、円筒状受部領域３０１に対し連続して設けられる円筒状スカート領域３０２とを有している。円筒状スカート領域３０２の内周面に沿って、第１防振支持部材３００Ａよりも硬い材質からなり円筒形状を有する第２防振支持部材３００Ｂは配設されてる。【選択図】        図１
2005237461.tif 000002
【特許請求の範囲】
【請求項１】
第１の空間と第２の空間とを有するモータケースと、前記第２の空間を前記第１の空間よりも負圧状態にするため、前記第１の空間と前記第２の空間とを区画するように配置される電気掃除機用モータとを備え、前記モータケース内に前記電気掃除機用モータを配置するために用いられる、電気掃除機用モータ防振支持部材であって、
当該電気掃除機用モータ防振支持部材は、
前記電気掃除機用モータの負圧発生口を取囲むようにして、前記電気掃除機用モータに連結される円筒状受部領域と、
弾性部材からなり、前記円筒状受部領域と前記第２の空間とを連結するため、前記円筒状受部領域に対し連続して設けられる円筒状スカート領域とを有する、第１防振支持部材と、
前記円筒状スカート領域の内周面に沿って配設され、前記第１防振支持部材よりも硬い材質からなる円筒形状の第２防振支持部材と、
を備える、電気掃除機用モータ防振支持部材。
【請求項２】
前記円筒状スカート領域は、蛇腹形状に設けられる、請求項１に記載の、電気掃除機用モータ防振支持部材。
【請求項３】
請求項１または請求項２のいずれかに記載の電気掃除機用モータ防振支持部材を備えたことを特徴とする、電気掃除機。
【発明の詳細な説明】
【技術分野】
【０００１】
電気掃除機の防振および負圧保持の役割を備える、電気掃除機用モータ防振支持部材の構造およびそのモータ防振支持部材を備えた電気掃除機に関する。
【背景技術】
【０００２】
電気掃除機において、モータをモータケースに固定する際に、防振支持部材が用いられる。この防振支持部材は、モータから発生する振動を抑制するための防振機能と、負圧保持の機能とを備えている。このような防振支持部材を用いた電気掃除機を開示するものとして、特許文献１が挙げられる。
【０００３】
この特許文献１には、ファン部の外径が２種類にわたるモータを、１種類の防振支持部材（防振支持ゴム）で支える方法が開示されている。防振支持ゴムのモータ外径と勘合する部分には、２種類のリング形状のリブが設けられ、２つのリブの内、内側に位置するリブには部分的にスリットが設けられている。この形状からなる防振ゴムが、大きな外径のモータに嵌合されるときには、この内側リブは勘合を邪魔せぬように折れ曲がることでモータの外壁に密着し、負圧発生を妨げないように構成されている。
【０００４】
また、出願人が知り得る他の防振支持ゴムの形態について、図９から図１３を参照して説明する。モータを収納するモータケース５００は、２分割構造（第１ケース５００Ａ，第２ケース５００Ｂ）からなり、各ケースに設けられた、ビス固定スロット５０２およびビス穴５０３を利用して、ビス５０４により、各ケースが一体となるように固定される。
【０００５】
第１ケース５００Ａおよび第２ケース５００Ｂのモータ収納部分には、モータ外径のランクにより、またはモータメーカにより、通常２から３種類のモータを収納する必要がある。通常、それらのモータの差異は、一般的には、モータの軸方向の長さの差異である場合が大多数である。そこで、この種々のモータを同一のモータケース５００に収納するために、図９に示すように、第１ケース５００Ａおよび第２ケース５００Ｂの内周面に設けたリブ５０１を利用して、モータケース５００内にモータを固定する方法が採用されている。
【０００６】
具体的には、軸方向の長さが短いモータ１００Ｓにおいては、図１０および図１１に示すように、固定防振ゴム２００を回転軸側に勘合し、ファン外径側に防振ゴム６００Ｂを勘合させるとともに、モータ収納用板７００をモータケース５００の収納部に設けたリブ５０１の間に挟むことにより、防振ゴム６００Ｂとモータ収納用板７００との間にシール面を作ることで、モータ１００Ｓから発生する振動を抑制するとともに負圧保持を確保可能な、モータ１００Ｓの収納を実現している。
【０００７】
一方、軸方向の長さが長いモータ１００Ｌにおいては、図１２および図１３に示すように、固定防振ゴム２００を回転軸側に勘合し、ファン外径側に防振ゴム６００Ａを勘合させて、第１ケース５００Ａおよび第２ケース５００Ｂのモータ収納部分にモータ１００Ｌを固定し、固定防振ゴム２００および防振ゴム６００Ａにより、モータ１００Ｌから発生する振動を抑制するとともに負圧保持を確保している。
【０００８】
このように、リブ５０１およびモータ収納用板７００を適宜利用することにより、１種類のモータケース５００において、種類の異なるモータの収納を可能としている。
【特許文献１】実開平０２−６７９４９号公報
【発明の開示】
【発明が解決しようとする課題】
【０００９】
しかし、図９〜図１３に示したモータの収納構造には、以下に示す問題が挙げられる。
【００１０】
（１）収納可能なモータは、モータケース内に設けるリブの位置により決まるため、モータ長さが異なる多種類のモータには対応できない。
【００１１】
（２）モータケース内へのモータ組み込み時に、リブ５０１にはめ込むためのモータ収納用板７００が必要となり、モータ収納用板７００の部品費（金型費用含む）、組立タイムの延長による、製造コストの上昇が問題となる。また、リブ５０１のはめ込み忘れや、はめ込み不良も問題となる。
【００１２】
したがって、この発明は上記課題を解決するためになされたものであり、１つのモータケースであっても、製造コストの上昇を招くことなく、モータ長さが異なる多種類のモータを収納可能とする、電気掃除機用モータ防振支持部材およびそのモータ防振支持部材を備えた電気掃除機を提供することにある。
【課題を解決するための手段】
【００１３】
上記目的を達成するため、この発明に基づいた電気掃除機用モータ防振支持部材においては、第１の空間と第２の空間とを有するモータケースと、上記第２の空間を上記第１の空間よりも負圧状態にするため、上記第１の空間と上記第２の空間とを区画するように配置される電気掃除機用モータとを備え、上記モータケース内に上記電気掃除機用モータを配置するために用いられる、電気掃除機用モータ防振支持部材であって、この電気掃除機用モータ防振支持部材は、以下の特徴を有している。
【００１４】
本発明に基づく電気掃除機用モータ防振支持部材は上記電気掃除機用モータの負圧発生口を取囲むようにして、上記電気掃除機用モータに連結される円筒状受部領域と、弾性部材からなり、上記円筒状受部領域と上記第２の空間とを連結するため、上記円筒状受部領域に対し連続して設けられる円筒状スカート領域とを有する、第１防振支持部材と、上記円筒状スカート領域の内周面に沿って配設され、上記第１防振支持部材よりも硬い材質からなる円筒形状の第２防振支持部材とを備える。
【発明の効果】
【００１５】
本発明にける電気掃除機用モータ防振支持部材およびそのモータ防振支持部材を備えた電気掃除機によれば、少なくとも、第１防振支持部材の円筒状スカート領域が弾性部材から構成されることにより、モータの軸方向に沿った伸縮を可能とする。また、円筒状スカート領域の内周面には、この第１防振支持部材よりも硬い材質からなる円筒形状の第２防振支持部材が装着されるため、モータの負圧発生時においても、この円筒状スカート領域の形状を維持させておくことが可能となる。
【００１６】
これにより、モータ長さが異なる多種類のモータをモータケース内に収納する場合であっても、円筒状スカート領域の伸縮によりモータとモータケースとの間における隙間の発生を防止する。また、円筒状スカート領域の形状は、第２防振支持部材により維持される。その結果、モータの駆動による減圧状態に悪影響を及ぼすことなく、１つのモータケースであっても、モータ長さが異なる多種類のモータをモータケース内に収納することが可能になる。たとえば、円筒状スカート領域を蛇腹形状にすることで、円筒状スカート領域を軸方向に沿って大きく伸び縮みさせることが可能となり、収納可能なモータ種類の拡大を図ることが可能になる。
【発明を実施するための最良の形態】
【００１７】
以下、この発明に基づいた実施の形態における電気掃除機用モータ防振支持部材について、図を参照しながら説明する。まず、図１および図２を参照して、本実施の形態における電気掃除機用モータ防振支持部材３００の構造について説明する。なお、図１は、モータケース５００にモータ１００Ｓを収納した状態での部分断面図であり、図２は、モータ１００Ｓおよび電気掃除機用モータ防振支持部材３００の構造を示す全体斜視図である。なお、背景技術において説明したものと同一または相当部分については、同一の参照番号を付すことにより、重複する説明は繰り返さないこととする。
【００１８】
（電気掃除機用モータ防振支持部材３００）
図１および図２を参照して、モータ１００Ｓを収納すべきモータケース５００は、第１の空間（大気圧空間）Ｒ１と第２の空間（負圧空間）Ｒ２とを有し、第２の空間Ｒ２を第１の空間Ｒ１よりも負圧状態にするため、第１の空間Ｒ１と第２の空間Ｒ２とを区画するように電気掃除機用モータ１００Ｓが配置される。このモータケース５００は、図９を用いて説明したように、２分割構造からなる。
【００１９】
本実施の形態における電気掃除機用モータ防振支持部材３００は、第１防振支持部材３００Ａと、第２防振支持部材３００Ｂとを有している。第１防振支持部材３００Ａは、電気掃除機用モータ１００Ｓの負圧発生口１１０側を取囲むように覆い、電気掃除機用モータ１００Ｓのファン領域に連結される円筒状受部領域３０１と、この円筒状受部領域３０１と第２の空間Ｒ２とを連結するため、円筒状受部領域３０１に対し連続して設けられる円筒状スカート領域３０２とを有している。
【００２０】
本実施の形態における第１防振支持部材３００Ａは、全体がゴム（硬度５０−６０度）等の弾性部材からなる一体成型品である。なお、必ずしも、第１防振支持部材３００Ａは一体成型品である必要はなく、円筒状スカート領域３０２のみを上述の弾性部材から構成し、円筒状受部領域３０１は、電気掃除機用モータ１００Ｓのファン領域に隙間無く連結される形状および構造であれば、特に、弾性部材に限定されるものではない。
【００２１】
第２防振支持部材３００Ｂは、円筒状スカート領域３０２の内周面に沿って配設され、第１防振支持部材３００Ａよりも硬い材質からなり、円筒形状を有している。具体的な材質としては、ＡＢＳ樹脂等の硬質の樹脂材料が挙げられる。この第２防振支持部材３００Ｂを、円筒状スカート領域３０２の内周面に沿って配設することで、モータ１００Ｓの負圧発生時においても、モータ１００Ｓの支持が不完全にならないよう骨材として作用し、円筒状スカート領域３０２の形状を維持させておくことが可能となる。
【００２２】
ここで、第２防振支持部材３００Ｂを配設しない場合について、図３を参照して説明する。第２防振支持部材３００Ｂを配設しない場合、たとえば幅（軸方向長さＷ）１５ｍｍ、直径１２０ｍｍの円筒状スカート領域３０２に真空圧２４．５ｋＰａ（２５００ｍｍＨ２Ｏ）が掛かると、円筒状スカート領域３０２には約４４．１Ｎ（４．５ｋｇｆ）の力が加わる結果、変形、真空漏れ、モータ支持外れに陥ることになる（図３中矢印Ｆ）。一方、第２防振支持部材３００Ｂを配設しておくことで、第２防振支持部材３００Ｂはこの力を真空側から支え、円筒状スカート領域３０２の変形を防ぎ、また、この真空圧を利用して、モータ１００Ｓを真空壁側に押し付ける役目も有する。
【００２３】
（電気掃除機用モータ防振支持部材の他の形態）
モータ長さが大きく異なる３種以上のモータを、同じモータケース５００に収容する必要がある場合、以下に示す形態の電気掃除機用モータ防振支持部材３１０が考えられる。この電気掃除機用モータ防振支持部材３１０について、図４から図６を参照して説明する。なお、図４は、モータ長さが短いモータ１００Ｓに、電気掃除機用モータ防振支持部材３１０を適用した場合の、分解斜視図であり、図５は、モータ１００Ｓを収容した場合の断面図である。また、図６は、モータ長さがモータ１００Ｓよりも長いモータ１００Ｌを収容した場合の縦断面図である。
【００２４】
図４に示すように、この電気掃除機用モータ防振支持部材３１０においては、上述の第１防振支持部材３００Ａに相当する第１防振支持部材３１０Ａの円筒状スカート領域３１２が蛇腹形状に設けられている。これにより、円筒状スカート領域３１２を軸方向に沿って大きく伸び縮みさせることを可能としている。その結果、モータ１００Ｓに対応した長さの第２防振支持部材３１０Ｂ、モータ１００Ｌに対応した長さの第２防振支持部材３１０Ｃを予め準備しておくことで、モータ１００Ｓをモータケース５００に収容する場合には、図５に示すように、第２防振支持部材３１０Ｂを用いることにより、第２防振支持部材３１０Ｂが軸方向に大きく引伸ばされた状態が保持さる。一方、モータ１００Ｌをモータケース５００に収容する場合には、図６に示すように、第２防振支持部材３１０Ｃを用いることにより、第２防振支持部材３１０Ｂが軸方向に大きく押し縮められた状態が保持される。
【００２５】
このように、第１防振支持部材３１０Ａの円筒状スカート領域３１２を蛇腹形状にすることで、モータ長さに応じて、それぞれの防振ゴムを製作する必要がない。また、防振支持部材の長さをモータ長さに応じて調整するだけで、モータ長さが大きく異なる３種以上のモータを、同じモータケース５００に収容することが可能となる。しかも、防振支持部材により真空圧にも耐え得る。
【００２６】
以上、従来の電気掃除機用モータ防振支持部材によれば、先ずモータケースに予めモータ長さに応じた調整リブを作成する必要があり、採用モータが変更になると、金型修正が必要となるため、製造コストの上昇が問題となっていた。また、モータ収納用板を組み合わせ、その後、モータ＋モータ防振支持部材＋固定防振ゴムの組品をはめ込む組立は、複雑でこの部分のずれで真空度に不良が生じることがあった。
【００２７】
しかし、上記本実施の形態における電気掃除機用モータ防振支持部材によれば、第１防振支持部材と第２防振支持部材とは予め、ゴム製作メーカにて、事前に組立ておくことができるため、真空度を気にすることなく、モータ＋モータ防振支持部材＋固定防振ゴムのセットを、モータケースにはめ込むことにより、組立を完成させることが可能となる。
【００２８】
また、円筒状スカート領域が蛇腹形状の第１防振支持部材を用いることで、第２防振支持部材の変更だけで多くのモータが同じメインボデイのモータケースに搭載することが可能となる。
【００２９】
（電気掃除機１０００の構造）
上記構成を備える電気掃除機用モータ防振支持部材３００，３１０を適用した電気掃除機の構造について、図７および図８を参照して簡単に説明する。なお、図７（ａ）は、正面側から見た電気掃除機１０００の全体斜視図であり、図７（ｂ）は、背面側から見た電気掃除機１０００の全体斜視図である。また、図８は、電気掃除機用モータ防振支持部材３００または電気掃除機用モータ防振支持部材３１０を用いた場合の、モータケース５００の分解斜視図である。
【００３０】
本電気掃除機１０００は、アップライト型の電気掃除機である。構成としては、ノズルヘッド（床のゴミを吸い取る部分で、底に開口部分があり、アジテータブラシで床、絨毯からゴミを吸込む。）１００１、サクションホース（ノズルヘッドで吸込んだゴミをサイクロン分離のために、サイクロンカップに導くホース）１００２、サイクロンカップ（ゴミと空気を分離してカップに溜めモータ側にきれいな空気だけを流す）１００３、メインボデイ（サイクロンカップ、後述のハンドル、その他部品の組立の基本骨組み部分）１００４、および、ハンドル（ユーザーが掃除機を操作するとき握る部分）１００５を備える。
【００３１】
上記電気掃除機用モータ防振支持部材３００，３１０によりモータケース５００に収容されるモータは、真空を生じて、掃除機１０００のノズルヘッド１００１の、床面からの粉塵の吸込み、サイクロンカップ１００３におけるゴミ分離の気流源の役目を担保することとなる。
【００３２】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００３３】
【図１】この発明に基づいた実施の形態において、モータケースにモータを収納した状態での部分断面図である。
【図２】この発明に基づいた実施の形態において、モータおよび電気掃除機用モータ防振支持部材の構造を示す全体斜視図である。
【図３】この発明に基づいた実施の形態において、第２防振支持部材を配設しない場合の問題点を示す部分断面図である。
【図４】この発明に基づいた実施の形態において、モータ長さが短いモータに、電気掃除機用モータ防振支持部材を適用した場合の分解斜視図である。
【図５】この発明に基づいた実施の形態において、モータを収容した場合の断面図である。
【図６】この発明に基づいた実施の形態において、モータ長さが図４に示すモータよりも長いモータを収容した場合の断面図である。
【図７】この発明に基づいた実施の形態において、電気掃除機用モータ防振支持部材を適用した電気掃除機の構造を示す図であり、（ａ）は、正面側から見た電気掃除機の全体斜視図であり、（ｂ）は、背面側から見た電気掃除機の全体斜視図である。
【図８】この発明に基づいた実施の形態において、電気掃除機用モータ防振支持部材を用いた場合のモータケースの分解斜視図である。
【図９】背景技術におけるモータケースの分解斜視図である。
【図１０】背景技術におけるモータ、固定防振ゴム、および、防振ゴムの斜視図である。
【図１１】背景技術におけるモータ、固定防振ゴム、および、防振ゴムを、モータケースに収容した場合の断面図である。
【図１２】背景技術におけるモータ、モータ収納用板、固定防振ゴム、および、防振ゴムの斜視図である。
【図１３】背景技術におけるモータ、モータ収納用板、固定防振ゴム、および、防振ゴムを、モータケースに収容した場合の断面図である。
【符号の説明】
【００３４】
１００Ｌ，１００Ｓ  モータ、１１０  負圧発生口、２００  固定防振ゴム、３００，３１０  電気掃除機用モータ防振支持部材、３００Ａ，３１０Ａ  第１防振支持部材、３００Ｂ，３１０Ｂ，３１０Ｃ  第２防振支持部材、３０１，３１１  円筒状受部領域、３０２，３１２  円筒状スカート領域、５００  モータケース、５００Ａ  第１ケース、５００Ｂ  第２ケース、５０２  ビス固定スロット、５０３  ビス穴、５０４  ビス、１０００  電気掃除機、１００１  ノズルヘッド、１００２  サクションホース、１００３  サイクロンカップ、１００４  メインボデイ、１００５  ハンドル、Ｒ１  第１の空間（大気圧空間）、Ｒ２  第２の空間（負圧空間）。
【図１】
2005237461.tif 000003
【図２】
2005237461.tif 000004
【図３】
2005237461.tif 000005
【図４】
2005237461.tif 000006
【図５】
2005237461.tif 000007
【図６】
2005237461.tif 000008
【図７】
2005237461.tif 000009
【図８】
2005237461.tif 000010
【図９】
2005237461.tif 000011
【図１０】
2005237461.tif 000012
【図１１】
2005237461.tif 000013
【図１２】
2005237461.tif 000014
【図１３】
2005237461.tif 000015